(57)【特許請求の範囲】
【請求項１】
ベランダやバルコニー、屋上等の床面に複数本の脚部を備えた床化粧材本体が複数枚敷設されて床を構成する床化粧材において、
前記床の端部に配設される床化粧材本体には、側部に端部化粧材が添設され、
前記端部化粧材は、前記床化粧材本体の側面を覆う被覆部と、前記床化粧材本体の裏面側に配置されて前記被覆部を該床化粧材本体に取着する取付具とを備え、
前記被覆部は、嵩比重が１．５ｇ／ｃｍ3以上である重量物により形成され、該重量物は、無機質系材料からなるブロック体、または無機質系材料からなる充填材をセメント、石膏若しくは合成樹脂に練り混ぜて硬化させた複合成形体であり、
前記取付具は、前記脚部の側面に係止される係止部材と、この係止部材と前記被覆部とを結合する止着具とを備えて、前記脚部を前記被覆部と前記係止部材との間に挟み込んで固定されたことを特徴とする床化粧材。
【請求項２】
請求項１に記載の床化粧材において、
前記床化粧材本体の脚部は、円柱状または円筒状に形成され、
前記取付具の係止部材は、前記脚部に対応する断面略半円形状の取付凹部を備えて、前記脚部の側面に嵌め合わされることを特徴とする床化粧材。
【請求項３】
請求項２に記載の床化粧材において、
前記取付具の係止部材は、前記床化粧材本体の１本の脚部に対応する１つの取付凹部を備えていることを特徴とする床化粧材。
【請求項４】
請求項２に記載の床化粧材において、
前記取付具の係止部材は、前記床化粧材本体の２本の脚部に対応する２つの取付凹部を備えていることを特徴とする床化粧材。
【請求項５】
請求項１〜４のいずれか一つの請求項に記載の床化粧材において、
前記取付具の止着具は、前記係止部材および被覆部に対して抜け止めされるアンカーねじからなることを特徴とする床化粧材。
【発明の詳細な説明】
【技術分野】
【０００１】
本発明は、ベランダやバルコニー、屋上等の床面に敷設して使用する床化粧材に関する。
【背景技術】
【０００２】
ベランダやバルコニー、屋上等に床材を敷設して化粧床面を形成する技術には、従来、係止溝を備えた固定基板を根太上に複数個ねじ止めするとともに、バルコニー等の寸法に合わせて切断した長尺のデッキ材の裏面側の突条を固定基板の係止溝に圧入嵌合するなどの構造が提案されていた。
【０００３】
これに対し、近年では、例えば特許文献１に記載されているように、コンクリート等のスラブ上に床材を敷設して床面を覆う構成の床材として、硬質合成樹脂を矩形状に成形した部材で、裏面側とスラブ面との間に排水空間を形成するための複数本の脚が一体形成されてなる床材があり、上面に樹脂またはタイル等の表面材を係止接着固定または一体成形した構造のユニット式床化粧材も実用化されている。
【０００４】
このようなユニット式床化粧材は、バルコニーやベランダ等の床面に敷き詰めた場合、床化粧材の大きさ単位で敷設されるので、バルコニー等の敷設面の広さによっては、端部に配置された床化粧材の寸法に過不足を生じ、端部の床化粧材を必要寸法に合わせて切断して使用しなければならないことがあった。このように端部の床化粧材に寸法調整を行う必要が生じた場合、例えば特許文献２に記載されているように、切断した端部に寸法を調整するための別部材を敷設することが提案されている。
【０００５】
また、一方で、この種の床化粧材をバルコニー等の屋外に敷設した場合、床化粧材の下面側に風が吹き込むと、床化粧材の全体が捲れ上がってしまうことがあった。そこで、このような捲れ上がりを解消するために、例えば特許文献３に記載されているように、タイルユニットを敷設して床面を形成する際に、その床面周囲の少なくとも一部に透水性開口を有する樹脂製フロアマットを敷設して風の影響を軽減するという、タイルユニットの敷設構造も提案されている。
【特許文献１】実開平５−８５９２９号公報
【特許文献２】特開２００４−３２４０８４号公報
【特許文献３】実開平７−１０１９１号公報
【発明の開示】
【発明が解決しようとする課題】
【０００６】
前記特許文献２のように、ユニット床材の端部に寸法を調整するための別部材を床材の上下にはさみ込むだけの構成であると、端部の床化粧材と調整部材とが固定されておらず、長期間にわたる使用や歩行によって、位置ずれを生じたり外れてしまったりして、その都度、敷設しなおすなどのメンテナンスが必要になってしまうという問題点があった。
【０００７】
また、前記特許文献３の敷設構造は、立ち上がり壁で囲われたバルコニー等の床面に、表面材がタイル等の比較的重い床化粧材を敷設する場合には、ある程度有効であるが、立ち上がり壁ではなく、手すりだけが設けられたバルコニーに、このような床化粧材を敷設した場合には、手すりを通り抜けた風が床化粧材の下面側に入り込んで床化粧材の全体が捲れ上がる、吹き上がり現象を起こしてしまうおそれがあった。また、このような問題は、高さのないパラペットのある屋上などに床化粧材を敷設する場合にも発生する可能性があった。
【０００８】
そこで本発明は、上記のような問題点にかんがみてなされたものであり、バルコニーやベランダ等の床面をユニット式の床化粧材を敷設して形成するにあたり、敷設面の大きさや形状にかかわらず、簡単で美観に優れた敷設形態を実現し、その床材が受ける風の影響も抑えることのできる、施工性および意匠性の優れた床化粧材を提供することを目的としている。
【課題を解決するための手段】
【０００９】
前記の課題を達成するため、本発明は、ベランダやバルコニー、屋上等の床面に複数本の脚部を備えた床化粧材本体が複数枚敷設されて床を構成する床化粧材において、前記床の端部に配設される床化粧材本体には、側部に端部化粧材が添設され、前記端部化粧材は、前記床化粧材本体の側面を覆う被覆部と、前記床化粧材本体の裏面側に配置されて前記被覆部を床化粧材本体に取着する取付具とを備え、前記被覆部は、嵩比重が１．５ｇ／ｃｍ3以上である重量物により形成され、該重量物は、無機質系材料からなるブロック体、または無機質系材料からなる充填材をセメント、石膏若しくは合成樹脂に練り混ぜて硬化させた複合成形体であり、前記取付具は、前記脚部の側面に係止される係止部材と、この係止部材と前記被覆部とを結合する止着具とを備えて、前記脚部を前記被覆部と前記係止部材との間に挟み込んで固定されたことを特徴とする。
【００１０】
これにより、床化粧材が受ける風の影響を最小限に抑えることができ、床化粧材本体の下面側へ風が吹き込んで捲り上げるのを防止することも可能となる。また、端部化粧材を床化粧材本体の脚部に対して安定的に固定することが可能となり、構成される床を歩行しても端部化粧材が位置ずれしたり外れたりするのを防ぐことができる。さらに、床化粧材を敷設する床面の大きさ、形状等により、床化粧材本体を切断して寸法調整する必要を生じた場合にも、その切断端部を端部化粧材で被覆して見栄えよく敷設することができ、歩行等によっても端部化粧材が外れることのない安定した敷設形態を維持することが可能になる。
【００２０】
また、本発明は、前記構成の床化粧材において、前記床化粧材本体の脚部は、円柱状または円筒状に形成され、前記取付具の係止部材は、前記脚部に対応する断面略半円形状の取付凹部を備えて、前記脚部の側面に嵌め合わされることが好ましい。
【００２１】
このように構成されることにより、係止部材を脚部に配設する位置決めができるとともに、端部化粧材をより一層安定的に固定することが可能となり、床化粧材本体と端部化粧材との接合状態を良好に保つことができる。
【００２２】
より具体的には、前記取付具の係止部材は、床化粧材本体の１本の脚部に対応する１つの取付凹部を備えていることを特徴とする。あるいは、前記取付具の係止部材は、床化粧材本体の２本の脚部に対応する２つの取付凹部を備えていてもよい。
【００２４】
いずれの形態の取付凹部であっても、脚部に嵌め合わせることが容易であり、これにより係止部材を位置決めできて、施工性も優れたものとすることができる。
【００２５】
また、本発明は、前記構成の床化粧材において、前記取付具の止着具は、係止部材および被覆部に対して抜け止めされるアンカーねじからなるものであってもよい。
【００２６】
また、ボルトと被覆部とを一体化したものや、ボルトと係止部材とを一体化したものであってもよく、また、床化粧材本体に対して端部化粧材を被覆部側からナットで固定しても、係止部材側から固定してもどちらであってもよい。あるいは、被覆部や係止部材にネジ穴を設け、ナットの機能を兼ね備えるようにしてもかまわない。
【００２７】
このような構成により、取付具の係止部材と端部化粧材の被覆部とを確実に結合して、端部化粧材を床化粧材本体に安定的に取り付けることができる。
【発明の効果】
【００２８】
上述のように構成される本発明の床化粧材によれば、バルコニーやベランダ等の床面をユニット式の床化粧材を敷設して形成するにあたり、敷設面の大きさによって端部を切断して床化粧材本体を使用する場合に、切断端部を見せることなく端部化粧材を用いて見栄えよく配設することができ、かつ端部化粧材を安定的に固定することを可能にして、簡単で美観に優れた敷設形態を実現するとともに、安全性および施工性にも優れたものとすることができる。
【００２９】
また、端部化粧材の被覆部を重量物により形成すると、床材が受ける風の影響も抑えることができ、床化粧材が捲れ上がるのを防ぐことも可能となる。
【発明を実施するための最良の形態】
【００３０】
以下、本発明に係る床化粧材を実施するための最良の形態について説明する。
【００３１】
本発明において、床化粧材は住宅のベランダやバルコニー、テラスなどの屋外に設けられる床面や、屋上スラブなどの床面に複数枚を敷き詰めて使用可能な床化粧材である。端部に配設される床化粧材本体には、側部に端部化粧材が添設され、この端部化粧材は、床化粧材本体の側面を覆う被覆部と、この被覆部を床化粧材本体に取着する取付具とを備えている。かかる端部化粧材の好ましい実施形態には多数のバリエーションがあるが、そのうちのいくつかについて以下の実施例１で示す。
【実施例１】
【００３２】
本発明に係る床化粧材の実施例１について図面を参照しつつ説明する。図１は本発明の床化粧材の一実施形態を示す斜視図、図２は床化粧材の裏面側を示す斜視図、図３、４は端部化粧材の取付部分を示す説明図、図５、６は係止部材のバリエーションを示す説明図、図７は止着具の一例であり、（ａ）は側面図、（ｂ）は斜視図である。
【００３３】
床化粧材１は、合成樹脂製の床材基材（３０ｃｍ角）の上面に樹脂製の表面材（約１０ｃｍ角）を一体に成形した部材で形成され、この床化粧材本体１１の裏面側には、複数本の円筒形状の脚部１２が均等配置されて一体的に備えられている。また、床化粧材本体１１は、合成樹脂製の床材基材（３０ｃｍ角）の上面に木質、レンガ、磁器タイル等の表面材を接着したものでもよい。そして、複数枚の床化粧材１が各辺の端縁部に設けられた雌雄連結部で連結されて敷設されて、床を構成するようになっている。
【００３４】
床化粧材本体１１は、敷設面の端部に配設される場合、その側部に端部化粧材２が添設される。図１、２に示すように、端部化粧材２は、床化粧材本体１１の側面を覆う被覆部２１と、この被覆部２１を床化粧材本体１１に取着する取付具２３（裏面側に配置）とを備えている。
【００３５】
端部化粧材２の被覆部２１は、ちょうど床化粧材本体１１の側面と略等しい高さを有して形成され、その長さも１枚の床化粧材本体１１の大きさに合わせて形成されている。この被覆部２１は、床化粧材本体１１の脚部１２…１２と平行に配設され、床面に対して垂直に立設するように配置される。また、被覆部２１は、床化粧材本体１１の表面材に被さるカバー部２２を備えている。
【００３６】
カバー部２２は、被覆部２１と床化粧材本体１１との接合部を覆い隠すように、被覆部２１の上端から鍔状に張り出して形成されている。例示の形態では、略Ｌ字状に形成されたカバー部２２が、被覆部２１の上端部において、その端辺が被覆部２１の上端面から張り出すように配置されて、接着固定されることにより形成されている。
【００３７】
かかるカバー部２２と床化粧材本体１１の表面（表面材）との重なり代は、少なくとも５ｍｍ程度、確保されていることが好ましい。これにより、カバー部２２が端部化粧材２と床化粧材本体１１との接合部を覆い隠すとともに、床化粧材本体１１から被覆部２１が脱落するのを防止することができる。
【００３８】
また、端部化粧材２の被覆部２１は、金属製、木製、合成樹脂製のいずれであってもよいが、より好ましくは嵩比重の高い重量物で形成されていることである。被覆部２１を重量物によって形成することで、床化粧材本体１１に添設したとき、床化粧材本体１１の周縁部から下部空間に吹き込まれる風の影響を、被覆部２１の重量によって抑えることができ、床化粧材本体１１の吹き上がり現象を防止することが可能になる。
【００３９】
この場合の重量物としては、例えば、無機質系材料からなるブロック体（無機質ブロック体）、または無機質系材料からなる充填材（無機質充填材）をセメント、石膏あるいは合成樹脂に練り混ぜて硬化させた複合成形体などがあげられる。
【００４０】
なお、前記無機質系材料としては、鉄、アルミニウム、銅、鉛などの金属あるいはその酸化物や、石膏、または粘土等を含むことが好ましい。また、無機質充填材としては、前記の金属またはその酸化物や、砂、ガラス等であることが好ましく、かかる充填材をセメントや石膏または熱硬化性樹脂等の合成樹脂で成形して複合成形体を形成することが好ましい。また、無機質充填材の形状は粒状や棒状などいかなる形状でもかまわない。重量物の嵩比重は、概ね１．５ｇ／ｃｍ3以上で、重ければ重いほど風飛び防止および吹き上がり現象防止効果を大きくすることができる。
【００４１】
図２に示すように、端部化粧材２は床化粧材本体１１の裏面側で、取付具２３を用いて固定される。図示するように、取付具２３は、裏面の脚部１２…１２のうち、最端部に配列されている２本の脚部１２、１２に対して取り付けられる。また、取付具２３は、脚部１２、１２に係止される係止部材２４と、この係止部材２４と被覆部２１とを接合する止着具２５とを備える。
【００４２】
例示の係止部材２４は、ちょうど２本の脚部１２、１２に跨る長さのブロック体であり、脚部１２の側面に嵌め合わされる取付凹部２４１を備えている。図示する脚部１２は円筒形状に形成されているので、取付凹部２４１はこれに対応して、側面が断面略半円状に凹設されて形成されている。また、２本の脚部１２、１２に嵌め合わせられるように、取付凹部２４１は脚部１２、１２の間隔に対応させて２箇所に形成されている。
【００４３】
また、かかる係止部材２４は止着具２５を用いて床化粧材本体１１の裏面側に取着されている。図示するように、係止部材２４は、被覆部２１の側面（外側）から係止部材２４に貫通させてボルト２５１が配設され、係止部材２４の側部においてナット止めされて固定されている。ボルト２５１は、２本の脚部１２、１２の間に配設されている。
【００４４】
これにより、取付具２３は脚部１２、１２と被覆部２１とを挟み込んで固定し、床化粧材本体１１の側部に端部化粧材２を添設することができる。また、取付具２３の係止部材２４に取付凹部２４１が形成されていることにより、係止部材２４が脚部１２、１２に係止固定され、位置ずれを防止しつつ安定的に保持される。
【００４５】
図３に示すように、取付具２３の係止部材２４は、取付凹部２４１を１箇所のみ備えて、床化粧材本体１１裏面の脚部１２を２本ではなく１本だけ係止する構成であってもよい。このような係止部材２４の場合には、係止部材２４の中央部に取付凹部２４１が形成され、その両側に止着具２５が貫通固定される形態であることが好ましい。これにより、端部化粧材２を床化粧材本体１１の側部に安定的に固定することができる。
【００４６】
このように取付凹部２４１は脚部１２に嵌め合わされるので、取付凹部２４１の凹部形状は脚部１２に断面形状に合わせて形成されていればよく、脚部１２の断面形状が矩形であれば矩形の凹部として形成されることが好ましい。
【００４７】
また、図４に示すように、取付具２３の係止部材２４に取付凹部２４１を備えない形態であってもよい。この場合、係止部材２４の側面はフラットな平面状に形成されており、止着具２５を用いて脚部１２、１２を係止部材２４と被覆部２１との間に挟み込んで固定することにより、端部化粧材２が添設される。止着具２５は、ボルト・ナット締結することにより強固に固定され、端部化粧材２を安定的に保持することが可能となる。
【００４８】
係止部材２４は、上記のほか、図５、６に示すような形態であってもよい。すなわち、図５に例示する係止部材２４は、前記係止部材２４よりも薄肉部材により形成されており、取付凹部２４１を２箇所に備えるとともに、取付凹部２４１の反対側は凸状となって現れた構成となっている。また、図６に例示する係止部材２４においては、取付凹部２４１が２本の脚部１２、１２をともに抱きかかえる大きさの矩形状の凹部として形成されており、２本の脚部１２、１２に対して一つの取付凹部２４１が係止しうるものとなっている。係止部材２４は、いずれの形態であっても、止着具２５を組み合わせて固定することにより、端部化粧材２を安定的に保持することができる。
【００４９】
また、止着具２５にはボルト・ナットのほか、どのようなピンやねじを用いてもよく、例えば図７（ａ）、（ｂ）に示すように、単独でアンカー性能を有するアンカーねじ２５２を用いてもよい。アンカーねじ２５２は、ねじ山がテーパー状に形成されており、螺入されたとき、ねじ山に係止部材２４および被覆部２１に対して抜け止めされるように構成されている。
【００５０】
かかる端部化粧材２は、床面に敷設された床化粧材本体１１の外周端部において寸法調整がなされ、必要寸法に合わせて適宜の大きさに切断された床化粧材本体１１の側部に添設される。これにより、寸法調整を行った床化粧材本体１１の切断面が露出せず、床化粧材本体１１と、その側部に添えられた被覆部２１との接合部がカバー部２２により被覆されて見栄えもよく、好ましい外観を形成でき、また、床化粧材本体１１の下部空間に吹き込まれる風の影響も端部化粧材２によって抑えることができ、安定した敷設状態を維持することが可能になる。
【実施例２】
【００５１】
次に、床化粧材の参考例について図面を参照しつつ説明する。図８は参考例に係る床化粧材を部分的に示す側面図、図９は図８の床化粧材の裏面側を示した底面図である。
【００５２】
なお、以下に説明する形態に係る床化粧材１は、床化粧材本体１１の構成が前記実施例１とほぼ同様であり、端部化粧材２の構成が相違しているものであるので、端部化粧材２について詳細に説明し、他の部分については上記実施例１と共通の符号を用いて説明を省略する。
【００５３】
この形態の床化粧材１は、端部化粧材２の被覆部２１が、床化粧材本体１１を敷設する床面に対して、なだらかに接地される傾斜面として形成されている。すなわち、図８に示すように、被覆部２１は傾斜材で形成されており、その裏面に脚部２６…２６が均等配置されており、床面に支持されるように構成されている。
【００５４】
また、この被覆部２１は、傾斜面の上縁部がそのまま延設されて床化粧材本体１１の表面材に覆い被さるカバー部２２となされている。したがって、傾斜面の被覆部２１に一体に備えられたカバー部２２が、床化粧材本体１１との接合部を覆い隠すものとなるとともに、床化粧材本体１１から被覆部２１が脱落するのを防止しうるものとなっている。
【００５５】
また、図示されるように、カバー部２２の裏面側には、床化粧材本体１１の側部に当接して位置決めする当接部材２７が垂設されている。当接部材２７は、脚部１２の長さより短く垂設されていれば足り、この当接部材２７を利用して取付具２３が脚部１２、１２に対して取り付けられる。また、当接部材２７の側面は、止着具２５のボルト２５１等を取着しうる大きさを有していれば足りる。
【００５６】
これにより、図９に示すように、端部化粧材２は、床化粧材本体１１の側部（切断面）に対して当接部材２７を当てがうようにして配設され、２本の脚部１２、１２に係止部材２４を係止させるとともに、止着具２５を当接部材２７と係止部材２４とに貫通させて固定することにより、安定的に装着されるものとなる。
【００５７】
このように端部化粧材２の被覆部２１が傾斜面で形成されていることにより、床面との段差を解消したい場合や、排水性を求められる場合などに好適に使用することができ、周縁部から床化粧材本体１１の下部空間に風が吹き込まれるのも防止することができる。かかる端部化粧材２も、被覆部２１や脚部２６等が適宜の重量物から形成されていてもよく、吹き上がりを抑えることが可能になる。また、このように傾斜面を有する端部化粧材２であっても、取付具２３を用いて床化粧材本体１１に固定することができ、長期的に安定した敷設状態を維持することが可能になる。
【００５８】
なお、本発明において、上記実施例１はその例示にすぎず、その主旨または主要な特徴から逸脱することなく、他のいろいろな形で実施することができる。例えば、上記実施例１においては、係止部材２４に対してボルト２５１を、床化粧材本体１１の側部外側から貫通させて固定する形態を示したが、本発明はこれに限定されず、床化粧材本体１１の裏側（内側）から止着具２５を固定するようにしてもよい。また、床化粧材本体１１の大きさ・形状も上記例に限定されず、どのような形態であってもよい。
【産業上の利用可能性】
【００５９】
本発明は、住宅等の建物におけるバルコニーやベランダ、屋上等の床面に複数枚の床化粧材本体を敷き詰めて床を構成するユニット式の床化粧材において、端部の美観や歩行の安全性を確保するとともに、風の影響を受けやすい床面に敷設して好適に使用することができる。
【図面の簡単な説明】
【００６０】
【図１】本発明に係る床化粧材の実施例１を示す斜視図である。
【図２】図１の床化粧材において端部化粧材を固定した状態を示す裏面側の斜視図である。
【図３】実施例１の床化粧材における端部化粧材の取付部分を示す説明図である。
【図４】前記取付部分の別形態を示す説明図である。
【図５】本発明に係る床化粧材における係止部材の説明図である。
【図６】前記係止部材の別形態を示す説明図である。
【図７】本発明に係る床化粧材における止着具の一例を示し、（ａ）は側面図、（ｂ）は斜視図である。
【図８】床化粧材の参考例を示す、要部側面図である。
【図９】図８の床化粧材の裏面側を示す底面図である。
【符号の説明】
【００６１】
１    床化粧材
１１  床化粧材本体
１２  脚部
２    端部化粧材
２１  被覆部
２２  カバー部
２３  取付具
２４  係止部材
２４１  取付凹部
２５  止着具
【図１】
0005198045.tif 000002
【図２】
0005198045.tif 000003
【図３】
0005198045.tif 000004
【図４】
0005198045.tif 000005
【図５】
0005198045.tif 000006
【図６】
0005198045.tif 000007
【図７】
0005198045.tif 000008
【図８】
0005198045.tif 000009
【図９】
0005198045.tif 000010